(57)【特許請求の範囲】
【請求項１】
筐体と、
上記筐体に組み込まれた表示部と、
上記筐体に組み込まれており、上記筐体の下方に向けて音響を出力するスピーカと、
上記筐体の下方に設けられており、上記スピーカから出力された音響を上記筐体の前方に向けて反射させる反射板とを備えており、
上記反射板における上記スピーカ側と反対側の端部が、上記反射板の下方に位置する、表示装置の設置面または当該設置面の近傍に至っており、
上記筐体の下方に設けられており、上記スピーカから出力された音響を上記筐体の前方に向けて反射させる、上記反射板とは別の副反射板を備え、
上記反射板は、上記スピーカ側にて、上記副反射板における上記筐体の前方側の端部に取り付けられていることを特徴とする表示装置。
【請求項２】
筐体と、
上記筐体に組み込まれた表示部と、
上記筐体に組み込まれており、上記筐体の下方に向けて音響を出力するスピーカと、
上記筐体の下方に設けられており、上記スピーカから出力された音響を上記筐体の前方に向けて反射させる反射板とを備えており、
上記反射板における上記スピーカ側と反対側の端部が、上記反射板の下方に位置する、表示装置の設置面または当該設置面の近傍に至っており、
上記筐体の下方に設けられており、上記スピーカから出力された音響を上記筐体の前方に向けて反射させる、上記反射板とは別の副反射板を備え、
上記副反射板における上記筐体の後方側の端部が、上記筐体の背面に対して、上記筐体の後方側に配置されていることを特徴とする表示装置。
【請求項３】
筐体と、
上記筐体に組み込まれた表示部と、
上記筐体に組み込まれており、上記筐体の下方に向けて音響を出力するスピーカと、
上記筐体の下方に設けられており、上記スピーカから出力された音響を上記筐体の前方に向けて反射させる反射板とを備えており、
上記反射板における上記スピーカ側と反対側の端部が、上記反射板の下方に位置する、表示装置の設置面または当該設置面の近傍に至っており、
上記筐体の下方に設けられており、上記スピーカから出力された音響を上記筐体の前方に向けて反射させる、上記反射板とは別の副反射板を備え、
上記副反射板は、上記筐体の前方側に対して、当該筐体の後方側が高い位置となるように傾斜する
ことを特徴とする表示装置。
【請求項４】
筐体と、
上記筐体に組み込まれた表示部と、
上記筐体に組み込まれており、上記筐体の下方に向けて音響を出力するスピーカと、
上記筐体の下方に設けられており、上記スピーカから出力された音響を上記筐体の前方に向けて反射させる反射板とを備えており、
上記反射板における上記スピーカ側と反対側の端部が、上記反射板の下方に位置する、表示装置の設置面または当該設置面の近傍に至っており、
上記筐体の下方に設けられており、上記スピーカから出力された音響を上記筐体の前方に向けて反射させる、上記反射板とは別の副反射板を備え、
上記副反射板の両側に上記反射板が位置し、上記筐体の底部と上記反射板とによって、上記副反射板における上記筐体の前方側の端部の上方に開口が形成されている
ことを特徴とする表示装置。
【請求項５】
上記反射板は、断面視円弧状であることを特徴とする請求項１から４のいずれか１項に記載の表示装置。
【請求項６】
上記反射板は、透光性を有する材質によって構成されていることを特徴とする請求項１から５のいずれか１項に記載の表示装置。
【請求項７】
上記設置面に搭載され、上記筐体を支持する支持部を備えており、
上記反射板における上記スピーカ側と反対側の端部が、上記支持部に搭載されていることを特徴とする請求項１から６のいずれか１項に記載の表示装置。
【請求項８】
請求項１から７のいずれか１項に記載の表示装置を備えていることを特徴とするテレビジョン受像機。
【発明の詳細な説明】
【技術分野】
【０００１】
本発明は、筐体に組み込まれており、筐体の下方に向けて音響を出力するスピーカを備えた、表示装置およびテレビジョン受像機に関する。
【背景技術】
【０００２】
最近の薄型テレビジョン受像機においては、デザイン性の向上を目的として、いわゆるヒドゥン構造を採用したものが多くなっている。ヒドゥン構造とは、音響（音波）を出力するスピーカを、テレビジョン受像機の筐体に下向きに設けた構造である。
【０００３】
ヒドゥン構造のテレビジョン受像機において、音響を所望の方向に効果的に導くことによって、音質の向上を図り得る技術が、特許文献１および２に開示されている。特許文献１および２に開示されているテレビジョン受像機は、スピーカから出力された音響を筐体の前方に向けて反射させる反射部材が、筐体の下方に設けられている。
【先行技術文献】
【特許文献】
【０００４】
【特許文献１】特開２００６−２３７９１０号公報（２００６年９月７日公開）
【特許文献２】特開２０１０−２２６６４８号公報（２０１０年１０月７日公開）
【発明の概要】
【発明が解決しようとする課題】
【０００５】
ヒドゥン構造のテレビジョン受像機において、スピーカから出力された音響は、種々の部材にて反射され、拡散する。そして、テレビジョン受像機の視聴者は、スピーカから出力された音響を直接的に聴くと共に、スピーカから出力された音響が当該種々の部材にて反射および拡散されたもの（以下、「間接音」と称する）を聴くこととなる。
【０００６】
ここで、スピーカと、テレビジョン受像機の下方に位置する床または台等（以下、「テレビジョン受像機の設置面」と称する）との間隔が小さい場合、テレビジョン受像機の下方に導かれた音響が当該設置面に当たり、間接音の音質が変化する虞がある。なお、間接音の音質は、当該設置面の材質に依存して変化する。例えば、当該設置面が軟らかい材質からなる場合、軟らかい材質は高音を吸収し易いため、当該間接音は高音が抑制されたソフトな音質となる。一方、当該設置面が固い材質からなる場合、固い材質は高音を反射させ易いため、当該間接音は高音が栄えた音質となる。
【０００７】
一方、スピーカ筐体部と、テレビジョン受像機の設置面との間隔が大きい場合、設置面での反射および拡散効果が得られにくくなるため、筐体の下方に音響が発散してしまい、テレビジョン受像機の視聴者が実際に聴く音において間接音の効果が得られにくくなる虞がある。
【０００８】
特許文献１および２に開示されているテレビジョン受像機においては、テレビジョン受像機の筐体の下方からテレビジョン受像機の設置面へ向かう音響への対策が不十分である。このため、特許文献１および２に開示されているテレビジョン受像機においては、上述した音質に関する不具合が発生する虞がある。
【０００９】
本発明は、上記の課題に鑑みて為されたものであり、その目的は、音質のさらなる改善を可能とする、表示装置およびテレビジョン受像機を提供することにある。
【課題を解決するための手段】
【００１０】
上記の課題を解決するために、本発明の一態様に係る表示装置は、筐体と、上記筐体に組み込まれた表示部と、上記筐体に組み込まれており、上記筐体の下方に向けて音響を出力するスピーカと、上記筐体の下方に設けられており、上記スピーカから出力された音響を上記筐体の前方に向けて反射させる反射板とを備えており、上記反射板における上記スピーカ側と反対側の端部が、上記反射板の下方に位置する、表示装置の設置面または当該設置面の近傍に至っていることを特徴としている。
【００１１】
また、上記の課題を解決するために、本発明の一態様に係るテレビジョン受像機は、本発明の一態様に係る表示装置を備えていることを特徴としている。
【発明の効果】
【００１２】
本発明の一態様によれば、音質のさらなる改善が可能となる。
【図面の簡単な説明】
【００１３】
【図１】（ａ）は本発明の実施の形態１に係る表示装置を備えたテレビジョン受像機の外観を示す斜視図であり、（ｂ）は同テレビジョン受像機の外観を示す正面図である。
【図２】（ａ）は本発明の実施の形態１に係る表示装置における筐体の下方の背面斜視図であり、（ｂ）は同表示装置における筐体の下方の断面図であり、（ｃ）は反射板の副反射板に対する取り付け部分を概略的に示す断面図である。
【図３】音波の周波数に対する音圧の関係を示すグラフである。
【図４】音波の周波数に対する、本発明の実施の形態１に係る表示装置における音圧と、第１比較例に係る表示装置における音圧と、第２比較例に係る表示装置における音圧との差の関係を示すグラフである。
【図５】本発明の実施の形態２に係る表示装置における筐体の下方の断面図である。
【図６】本発明の実施の形態３に係る表示装置における筐体の下方の断面図である。
【発明を実施するための形態】
【００１４】
本発明を実施するための形態について、図１〜図６を参照して説明する。
【００１５】
〔実施の形態１〕
図１の（ａ）は、本実施の形態に係る表示装置１０１を備えたテレビジョン受像機１００の外観を示す斜視図であり、図１の（ｂ）は、テレビジョン受像機１００の外観を示す正面図である。また、図２の（ａ）は、表示装置１０１における筐体１の下方の背面斜視図であり、図２の（ｂ）は、表示装置１０１における筐体１の下方の断面図であり、図２の（ｃ）は、反射板５の副反射板４に対する取り付け部分を概略的に示す断面図である。
【００１６】
図１の（ａ）および（ｂ）に示すテレビジョン受像機１００は、表示装置１０１と、図示しないチューナとを備えている。表示装置１０１は、筐体１と、表示部２と、スタンド（支持部）３と、副反射板４と、反射板５と、スピーカ６とを備えている。表示装置１０１は、表示装置１０１の設置面１０２に設置されている。設置面１０２は例えば、床または台等が挙げられ、もちろんカーペットや絨毯等であってもよい。
【００１７】
筐体１は、表示部２およびスピーカ６を始めとする、表示装置１０１を構成する各種部品を収納する筐体である。表示部２は、表示装置１０１において表示を行うものであり、筐体１に組み込まれている。表示部２が表示を行う方向が、筐体１の前方であり、同時に表示装置１０１の前方であり、同時にテレビジョン受像機１００の前方である。
【００１８】
スタンド３は、筐体１を支持する脚であり、表示装置１０１に２つ設けられている。２つのスタンド３のうち一方は、筐体１の下方における一方の側に設けられている。２つのスタンド３のうち他方は、筐体１の下方における他方の側に設けられており、図１の（ａ）では反射板５の後ろに隠れている。２つのスタンド３は、設置面１０２に搭載される。２つのスタンド３のそれぞれは略Ｌ字形である。２つのスタンド３のそれぞれについて、Ｌ字の底部が設置面１０２に定着されることによって、筐体１が支持される。
【００１９】
スピーカ６は、筐体１に組み込まれており、筐体１の下方に向けて音響を出力する。このため、スピーカ６の音響出力部分は例えば、図２の（ｂ）に示すように、表示装置１０１の下方を向いている。表示装置１０１を備えたテレビジョン受像機１００は、いわゆるヒドゥン構造のテレビジョン受像機であり、スピーカ６は、当該ヒドゥン構造のテレビジョン受像機に適合した構成となっている。
【００２０】
副反射板４は、筐体１の下方に設けられており、スピーカ６から出力された音響を筐体１の前方に向けて反射させるものである。副反射板４は、スピーカ６の下方に設けられている。副反射板４は、筐体１の前方側に対して、筐体１の後方側が高い位置となるように傾斜しており、例えば図２の（ｂ）および（ｃ）に示すような断面視円弧状の板、もしくは平板である。図１の（ｂ）によれば、副反射板４の横幅は、筐体１の横幅に対して若干短くなっているが、筐体１の横幅に対して同程度であってもよい。
【００２１】
反射板５は、筐体１の下方に設けられており、スピーカ６から出力された音響を筐体１の前方に向けて反射させるものであり、副反射板４とは別に設けられている。反射板５は、スピーカ６の下方に設けられている。反射板５は、断面視円弧状となっている。
【００２２】
ここで、図２の（ｂ）によれば、反射板５におけるスピーカ６側と反対側の端部５ｔが、反射板５の下方に位置する、設置面１０２の近傍に至っている。一方、図２の（ｃ）によれば、反射板５は、反射板５におけるスピーカ６側であって副反射板４の長手方向に沿った端部５ｓが（スピーカ側にて）、副反射板４における筐体１の前方側の端部４ｆに取り付けられている。さらに、副反射板４の両側に反射板５が位置していることにより、筐体１の底部と反射板５とによって、この端部４ｆの上方に開口７が形成されている。そして、この開口７から音響が出力されることとなる。なお、「設置面１０２の近傍」とは、設置面１０２に搭載された部材に端部５ｔが搭載された場合における、端部５ｔの配置を示している。「端部５ｔが設置面１０２の近傍に至っている」状態とは、反射板５がスピーカ６から出力された音響を十分に筐体１の前方に向けて反射させることができる程度に、端部５ｔが設置面１０２に近接した状態であると言える。
【００２３】
図２の（ｂ）を参照すると、反射板５の端部５ｔは、スタンド３におけるＬ字の底部に搭載されている。これにより、この端部５ｔは、設置面１０２に対してわずかに高い位置に配置されている。この端部５ｔは、設置面１０２に直接搭載される等によって、反射板５の下方に位置する、設置面１０２に至っていてもよい。
【００２４】
反射板５は、筐体１の下方から表示装置１０１の下方に向かう音響への対策として設けられている。反射板５を設けることによって、表示装置１０１では、スピーカ６と設置面１０２との間隔が小さい場合、表示装置１０１の下方に導かれた音響が設置面１０２に当たることを防ぐことができるので、間接音の音質が変化することを抑制することができる。一方、スピーカ６と設置面１０２との間隔が大きい場合、筐体１の下方にて音響が発散してしまうことを防ぐことができるので、表示装置１０１の視聴者が実際に聴く音において間接音の効果が減ってしまうことを抑制することができる。従って、表示装置１０１によれば、音質のさらなる改善が可能となる。
【００２５】
また、副反射板４における筐体１の後方側の端部４ｂは、筐体１の背面１ｂに対して、筐体１の後方側に配置されていることが好ましい。なおこのとき、この端部４ｂは、背面１ｂの後方かつ下方に位置してもよいが、背面１ｂの真後ろに位置することがより好ましい。これにより、スピーカ６から出力された音響の一部が筐体１の後方へ漏れてしまうことを抑制することができるので、さらなる音質の向上が可能となる。
【００２６】
また、反射板５は、透光性を有する材質によって構成されていることが好ましい。反射板５は、副反射板４に対して大型である。このため、反射板５が遮光性の材質によって構成されている場合、表示装置１０１の視聴者に対して視覚的に圧迫感を与える虞がある。反射板５が透光性を有する材質によって構成されていることによって、この圧迫感を抑制することができる。反射板５の材質の具体例として、透明または半透明のアクリルが挙げられる。
【００２７】
一方、副反射板４の材質については、所望の音質に応じて決定すればよい。すなわち、副反射板４が発泡スチレン等の軟らかい材質からなる場合、軟らかい材質は高音を吸収し易いため、表示装置１０１から出力される音響は高音が抑制されたソフトな音質となる。一方、副反射板４がアクリル等の固い材質からなる（もしくは、固い材質を軟らかい材質に貼り付けたものである）場合、固い材質は高音を反射させ易いため、表示装置１０１から出力される音響は高音が栄えた音質となる。
【００２８】
表示装置１０１を備えたテレビジョン受像機１００においても、以上に説明した、表示装置１０１の説明と同様のことが言える。
【００２９】
ここからは、表示装置１０１と、第１比較例に係る表示装置と、第２比較例に係る表示装置とを比較した結果について説明する。なお、「第１比較例に係る表示装置」とは、表示装置１０１から反射板５を省いたものである。また、「第２比較例に係る表示装置」とは、表示装置１０１から副反射板４と反射板５とを省いたものであり、第１比較例に係る表示装置から副反射板４を省いたものであるとも言える。
【００３０】
図３は、音波の周波数（横軸：単位はＨｚ）に対する音圧（縦軸：単位はｄＢ  ＳＰＬ）の関係を示すグラフである。
【００３１】
図３中、グラフ３１は第２比較例に係る表示装置における関係を示しており、グラフ３２は第１比較例に係る表示装置における関係を示しており、グラフ３３は表示装置１０１における関係を示している。
【００３２】
グラフ３１とグラフ３２とを比較すると、およそ１ｋＨｚ〜２０ｋＨｚの周波数範囲に亘って、グラフ３２が示す音圧はグラフ３１が示す音圧より大きい。つまり、およそ１ｋＨｚ〜２０ｋＨｚの周波数範囲に亘って、第１比較例に係る表示装置の音質は、第２比較例に係る表示装置の音質より良好であると言える。
【００３３】
グラフ３２とグラフ３３とを比較すると、およそ４００Ｈｚ〜１．４ｋＨｚの周波数範囲に亘って、グラフ３３が示す音圧はグラフ３２が示す音圧より大きい。つまり、およそ４００Ｈｚ〜１．４ｋＨｚの周波数範囲に亘って、表示装置１０１の音質は、第１比較例に係る表示装置の音質より良好であると言える。
【００３４】
また、図４は、音波の周波数（横軸：単位はＨｚ）に対する、表示装置１０１における音圧と、第１比較例に係る表示装置における音圧と、第２比較例に係る表示装置における音圧との差の関係を示すグラフである。なお、図４において、縦軸は音圧差（単位はｄＢ  ＳＰＬ）である。
【００３５】
図４中、グラフ４１は、第１比較例に係る表示装置における音圧と、第２比較例に係る表示装置における音圧との差を示しており、グラフ４２は、表示装置１０１における音圧と、第１比較例に係る表示装置における音圧との差を示している。
【００３６】
グラフ４１によれば、およそ１ｋＨｚ〜２０ｋＨｚの周波数範囲に亘って、第１比較例に係る表示装置における音圧は、第２比較例に係る表示装置における音圧より大きい。つまり、副反射板４を設けることによって、およそ１ｋＨｚ〜２０ｋＨｚの周波数範囲に亘って、表示装置の音質を向上させることができる。
【００３７】
グラフ４２によれば、およそ４００Ｈｚ〜１．４ｋＨｚの周波数範囲に亘って、表示装置１０１における音圧は、第１比較例に係る表示装置における音圧より大きい。つまり、反射板５を設けることによって、およそ４００Ｈｚ〜１．４ｋＨｚの周波数範囲に亘って、表示装置の音質を向上させることができる。
【００３８】
なお、音波の周波数が３００Ｈｚ〜８００Ｈｚである帯域は、可聴域のほぼ中心に分布し、基本となる音質を決定する帯域である。当該帯域に属する音響は、情報密度が高く、再生音に暖かさと艶やかさとを与える。
【００３９】
また、音波の周波数が８００Ｈｚ〜２ｋＨｚである帯域は、音響の芯となる情報を受け持ち、音質のバランスに影響を与える帯域である。当該帯域に属する音響は、中音域のアタック感を向上させる。
【００４０】
また、音波の周波数が２ｋＨｚ〜５ｋＨｚである帯域は、聴覚の感度が高い帯域である。当該帯域に属する音響は、シャープネスおよび音声の明りょう度に影響を与える。
【００４１】
また、音波の周波数が５ｋＨｚ〜１０ｋＨｚである帯域は、多くの倍音（ハーモニクス）を含む帯域である。当該帯域に属する音響は、華やかさおよび明るさを与える。
【００４２】
（付記事項）
副反射板４を設ける必要が無い場合、表示装置１０１において、副反射板４を省くことは可能である。
【００４３】
また、表示装置１０１がスタンド３を備えていることは必須でない。すなわち、表示装置１０１は、壁等に埋め込まれるか掛けられる形態であってもよい。この場合、筐体１の下方に位置する床または台等を、表示装置１０１の設置面１０２として、反射板５を設けることができる。
【００４４】
〔実施の形態２〕
図５は、本実施の形態に係る表示装置１１１における筐体１の下方の断面図である。表示装置１１１は、副反射板４と反射板５との配置関係を除けば、表示装置１０１と同じ構成である。
【００４５】
図５によれば、表示装置１１１において、反射板５は、図２の（ｃ）に示す端部５ｓが（スピーカ側にて）、図２の（ｃ）に示す端部４ｂに取り付けられている。
【００４６】
表示装置１０１と同様に、表示装置１１１においても、反射板５は、筐体１の下方から表示装置１１１の下方に向かう音響への対策として設けられている。従って、表示装置１１１によれば、音質のさらなる改善が可能となる。
【００４７】
〔実施の形態３〕
図６は、本実施の形態に係る表示装置１２１における筐体１の下方の断面図である。表示装置１２１は、反射板５の断面視の形状を除けば、表示装置１０１と同じ構成である。
【００４８】
図６によれば、表示装置１２１において、反射板５は断面視直線状であり、換言すれば、反射板５は平板である。
【００４９】
〔まとめ〕
本発明の態様１に係る表示装置は、筐体と、上記筐体に組み込まれた表示部と、上記筐体に組み込まれており、上記筐体の下方に向けて音響を出力するスピーカと、上記筐体の下方に設けられており、上記スピーカから出力された音響を上記筐体の前方に向けて反射させる反射板とを備えており、上記反射板における上記スピーカ側と反対側の端部が、上記反射板の下方に位置する、表示装置の設置面または当該設置面の近傍に至っている。
【００５０】
上記の構成によれば、反射板は、筐体の下方から表示装置の下方に向かう音響への対策として設けられている。反射板を設けることによって、表示装置では、スピーカと設置面との間隔が小さい場合、表示装置の下方に導かれた音響が設置面に当たることを防ぐことができるので、間接音の音質が変化することを抑制することができる。一方、スピーカと設置面との間隔が大きい場合、筐体の下方にて音響が発散してしまうことを防ぐことができるので、表示装置の視聴者が実際に聴く音において間接音の効果が減ってしまうことを抑制することができる。従って、上記の構成によれば、音質のさらなる改善が可能となる。
【００５１】
本発明の態様２に係る表示装置は、上記態様１において、上記筐体の下方に設けられており、上記スピーカから出力された音響を上記筐体の前方に向けて反射させる、上記反射板とは別の副反射板を備えている。
【００５２】
上記の構成によれば、反射板と副反射板との両方を設けることにより、音質のさらなる改善が可能となる。
【００５３】
本発明の態様３に係る表示装置は、上記態様２において、上記反射板は、上記スピーカ側にて、上記副反射板における上記筐体の前方側の端部に取り付けられている。
【００５４】
本発明の態様４に係る表示装置は、上記態様２または３において、上記副反射板における上記筐体の後方側の端部が、上記筐体の背面に対して、上記筐体の後方側に配置されている。
【００５５】
上記の構成によれば、スピーカから出力された音響の一部が筐体の後方へ漏れてしまうことを抑制することができるので、さらなる音質の向上が可能となる。
【００５６】
本発明の態様５に係る表示装置は、上記態様１から４のいずれかにおいて、上記反射板は、断面視円弧状である。
【００５７】
本発明の態様６に係る表示装置は、上記態様１から５のいずれかにおいて、上記反射板は、透光性を有する材質によって構成されている。
【００５８】
反射板は、副反射板に対して大型である。このため、反射板が遮光性の材質によって構成されている場合、表示装置の視聴者に対して視覚的に圧迫感を与える虞がある。反射板が透光性を有する材質によって構成されていることによって、この圧迫感を抑制することができる。
【００５９】
本発明の態様７に係る表示装置は、上記態様１から６のいずれかにおいて、上記設置面に搭載され、上記筐体を支持する支持部（スタンド３）を備えており、上記反射板における上記スピーカ側と反対側の端部が、上記支持部に搭載されている。
【００６０】
本発明の態様８に係るテレビジョン受像機は、上記態様１から７のいずれかに係る表示装置を備えている。
【００６１】
上記の構成によれば、テレビジョン受像機において、表示装置と同様の効果を得ることができる。
【００６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６３】
１  筐体
１ｂ  筐体の背面
２  表示部
３  スタンド（支持部）
４  副反射板
４ｂ  副反射板における筐体の後方側の端部
４ｆ  副反射板における筐体の前方側の端部
５  反射板
５ｓ  反射板におけるスピーカ側の端部
５ｔ  反射板におけるスピーカ側と反対側の端部
６  スピーカ
１００  テレビジョン受像機
１０１、１１１、および１２１  表示装置
１０２  設置面
【図１】
0006517110.tif 000002
【図２】
0006517110.tif 000003
【図３】
0006517110.tif 000004
【図４】
0006517110.tif 000005
【図５】
0006517110.tif 000006
【図６】
0006517110.tif 000007